(57)【要約】      （修正有）【課題】  省電力化されたＣＤＭＡ受信回路を提供する。【解決手段】  パスサーチ回路１０４から出力された有効パス遅延量と既に入力されている有効パス遅延量と比較する有効パス遅延量比較回路３０２と、希望電力対干渉電力比と、あらかじめ定められた基準とを比較する電力比比較回路３０３と、電力比比較回路３０３の比較結果に基づいて計数するパスカウンタ回路３０４と、パスカウンタ回路３０４の計数値と、有効パス遅延量の変化しない回数の基準を定めたしきい値と比較する良好受信判定回路３０５とを具備し、有効パス遅延量と、あらかじめ記憶した有効パス遅延量とが等しいと判定され、希望電力対干渉電力比があらかじめ定めた基準の範囲内であると判定されパスカウンタ回路３０４が加算され、パスカウンタ回路３０４の加算後の計数値がしきい値を越えると判定されたときに、パスサーチ回路１０４にその旨を通知するＣＤＭＡ受信回路である。【選択図】      図１
2007043370.tif 000002
【特許請求の範囲】
【請求項１】
受信した高周波信号の有効パス遅延量を計算して出力するパスサーチ回路と、前記有効パス遅延量を用いて前記高周波信号の受信状態を示す希望電力対干渉電力比を計算する希望電力対干渉電力比計算回路と、を有するＣＤＭＡ受信回路であって、
前記有効パス遅延量を入力し、該有効パス遅延量と、既に入力されている有効パス遅延量と比較する有効パス遅延量比較回路と、
前記希望電力対干渉電力比と、あらかじめ定められた高周波信号の受信状態の基準となる希望電力対干渉電力比基準とを比較する電力比比較回路と、
前記電力比比較回路の比較結果に基づいて計数するパスカウンタ回路と、
前記パスカウンタ回路の計数値と、有効パス遅延量が安定していることを示すあらかじめ定められた基準であるパス安定基準とを比較する受信良好判定回路と、を具備し、
前記有効パス遅延量比較回路が、前記有効パス遅延量と、既に入力されている有効パス遅延量が等しいと判定し、
前記電力比比較回路が、前記希望電力対干渉電力比が前記希望電力対干渉電力比基準の範囲内であると判定し、
前記パスカウンタ回路の計数値が加算された後、
前記受信良好判定回路が、前記パスカウンタ回路の加算後の計数値が前記パス安定基準以上であると判定したときに、前記受信良好判定回路が、前記パスサーチ回路に、前記受信良好判定回路の判定結果を通知することを特徴とするＣＤＭＡ受信回路。
【請求項２】
請求項１に記載のＣＤＭＡ受信回路において、
前記パスカウンタ回路の計数値と、前記パス安定基準とを比較するパス安定判定回路と、
前記パス安定判定回路の比較結果に基づいて計数する一時受信カウンタ回路と、
前記一時受信カウンタ回路の計数値をあらかじめ定めた一時的な受信状態の不安定の基準を示す一時受信基準と比較する一時受信判定回路と、をさらに具備し、
前記電力比比較回路が、前記希望電力対干渉電力比が前記希望電力対干渉電力比基準の範囲外であると判定し、
前記パス安定判定回路が、前記パスカウンタ回路の計数値が前記パス安定基準以上であると判定し、
前記一時受信カウンタ回路の計数値が加算された後、
前記一時受信判定回路が、前記一時受信カウンタ回路の加算後の計数値が前記一時受信基準より小さいと判定したときに、前記一時受信判定回路が、前記パスサーチ回路に、前記一時受信判定回路の判定結果を通知するＣＤＭＡ受信回路。
【請求項３】
受信した高周波信号の有効パス遅延量を計算して出力するパスサーチ回路と、前記有効パス遅延量を用いて前記高周波信号の受信状態を示す希望電力対干渉電力比を計算する希望電力対干渉電力比計算回路と、を有するＣＤＭＡ受信回路の処理方法であって、
前記有効パス遅延量を入力し、該有効パス遅延量と、既に入力されている有効パス遅延量と比較するステップと、
前記希望電力対干渉電力比と、あらかじめ定められた高周波信号の受信状態の基準となる希望電力対干渉電力比基準とを比較するステップと、
前記希望電力対干渉電力比と、前記希望電力対干渉電力比基準との比較結果に基づいて計数するステップと、
前記パスカウンタ回路の計数値と、有効パス遅延量が安定していることを示すあらかじめ定められた基準であるパス安定基準とを比較するステップと、を具備し、
前記有効パス遅延量と、既に入力されている有効パス遅延量とが等しいと判定され、
前記希望電力対干渉電力比が前記希望電力対干渉電力比基準の範囲内であると判定され、
前記計数値が加算された後、
前記加算後の前記計数値が前記パス安定基準以上であると判定されたときに、その旨を前記パスサーチ回路に通知することを特徴とするＣＤＭＡ受信回路の処理方法。
【発明の詳細な説明】
【技術分野】
【０００１】
本発明は、ＣＤＭＡ通信回路に係り、特に受信回路のパスサーチに関する。
【背景技術】
【０００２】
従来、移動体通信などに広く用いられているＣＤＭＡ（Code Division Multuple Access：符号分割多重接続）通信方式は、送信側では拡散符号系列を用いてビットデータを拡散変調して送信しており、受信側では送信側で用いた拡散符号系列で受信側のタイミング同期を取った後に逆拡散および復調処理をすることによって、送信したビットデータを復元する通信方式である。
【０００３】
従来のＣＤＭＡ受信回路の動作を、図６を参照して説明する。
【０００４】
図示したように、受信アンテナ２０１から入力された受信信号は、準同期検波回路２０２によって、ベースバンド処理が可能な周波数帯に周波数変換される。
【０００５】
この周波数変換された信号は、Ａ／Ｄ（Analg to digital：アナログ／デジタル）変換器２０３によってＡ／Ｄ変換された後、パスサーチ回路２０４によって指定ユーザごとに割り当てられた拡散信号を用いて各受信遅延時間に対して相互相関値を求める遅延プロファイルが計算される。
【０００６】
このようにパスサーチ回路２０４は、パスサーチされた中で、指定ユーザの拡散符号との相関性が高いパス遅延位置を有効パスに指定して、この有効パスの有効パス遅延量をフィンガー回路２０５１〜２０５ｎへ出力する。
【０００７】
フィンガー回路２０５１〜２０５ｎでは、パスサーチ回路２０４から得た有効パス遅延量を用いて受信データの逆拡散により相関値計算を行い、復調回路２０６に出力する。
【０００８】
復調回路２０６では、各フィンガー回路２０５１〜２０５ｎの相関値計算結果をフェージングによるビット位相調整を行った後に同相加算を行い、図示しないスロット単位およびフレーム単位の信号処理を行う。
【０００９】
他方、復調回路２０６の出力は希望電力対干渉電力比計算回路２０７に入力され、ＳＩＲ（Signal to Interference power Ratio：希望電力対干渉電力比）値が計算され、図示しない送信側装置の電力制御手段に用いられる。
【００１０】
なお、このようなＣＤＭＡ通信方式に用いられる電力制御としては、ＴＰＣ（Transmission power Control：送信電力制御）ビットを用いた方式が一般的に用いられる。
【００１１】
このＴＰＣビットを用いた方式は、送信データフォーマットの中に基準信号パターンである固定のパイロットビットパターンを周期的に挿入して送信し、受信側ではこの挿入されたパイロットビットパターン部分を逆拡散した後、ＳＩＲ値を推定している。
【００１２】
この推定されたＳＩＲ値が、指定された基準ＳＩＲ値に対して大きければ送信電力を小さくするように送信側のＴＰＣビットが生成され、ＳＩＲ値が指定された基準ＳＩＲ値に対して小さければ送信電力を大きくするように送信側のＴＰＣビットが生成される。
【００１３】
受信品質を良好に保持しつつ、消費電力低減を図ったフィンガパス割り当て処理を行う無線通信機および無線通信機の消費電力制御方法が提案されている（特許文献１参照）。
【特許文献１】特開２００１−２４５５７号公報
【発明の開示】
【発明が解決しようとする課題】
【００１４】
しかしながら、従来のＣＤＭＡ受信回路においては、基地局装置と移動機端末との距離が近く、受信品質が良好かつ移動機端末側がほぼ静止状態にある場合（例えば、移動機端末を用いて見通しの良いセル半径の小さな基地局装置とデータ通信を行う場合）には、有効パスの受信遅延位置が変動しないため、パスサーチ回路の動作によってフィンガー回路へ出力する有効パス位置の情報も変わらない。
【００１５】
したがって、このような受信品質が良好な通信環境化においては、パスサーチ回路の動作は必要ではなく、この良好な通信状態においては消費電力の浪費が生じるという問題があった。
【００１６】
そこで本発明の目的は、基地局装置と移動機端末と見通しが良く互いの受信品質が良好かつ移動機端末側がほぼ静止状態にある場合を検知し、検知した場合は、パスサーチ回路の動作を簡易化することにより消費電力を低減することの可能なＣＤＭＡ受信回路を提供することにある。
【課題を解決するための手段】
【００１７】
上記目的を達成するために、本発明のＣＤＭＡ受信回路の第１の発明は、受信した高周波信号の有効パス遅延量を計算して出力するパスサーチ回路と、前記有効パス遅延量を用いて前記高周波信号の受信状態を示す希望電力対干渉電力比を計算する希望電力対干渉電力比計算回路と、を有するＣＤＭＡ受信回路であって、
前記有効パス遅延量を入力し、該有効パス遅延量と、既に入力されている有効パス遅延量と比較する有効パス遅延量比較回路と、
前記希望電力対干渉電力比と、あらかじめ定められた高周波信号の受信状態の基準となる希望電力対干渉電力比基準とを比較する電力比比較回路と、
前記電力比比較回路の比較結果に基づいて計数するパスカウンタ回路と、
前記パスカウンタ回路の計数値と、有効パス遅延量が安定していることを示すあらかじめ定められた基準であるパス安定基準とを比較する受信良好判定回路と、を具備し、
前記有効パス遅延量比較回路が、前記有効パス遅延量と、既に入力されている有効パス遅延量が等しいと判定し、
前記電力比比較回路が、前記希望電力対干渉電力比が前記希望電力対干渉電力比基準の範囲内であると判定し、
前記パスカウンタ回路の計数値が加算された後、
前記受信良好判定回路が、前記パスカウンタ回路の加算後の計数値が前記パス安定基準以上であると判定したときに、前記受信良好判定回路が、前記パスサーチ回路に、前記受信良好判定回路の判定結果を通知するＣＤＭＡ受信回路である。
【００１８】
第２の発明は、第１の発明に記載のＣＤＭＡ受信回路において、
前記パスカウンタ回路の計数値と、前記パス安定基準とを比較するパス安定判定回路と、
前記パス安定判定回路の比較結果に基づいて計数する一時受信カウンタ回路と、
前記一時受信カウンタ回路の計数値をあらかじめ定めた一時的な受信状態の不安定の基準を示す一時受信基準と比較する一時受信判定回路と、をさらに具備し、
前記電力比比較回路が、前記希望電力対干渉電力比が前記希望電力対干渉電力比基準の範囲外であると判定し、
前記パス安定判定回路が、前記パスカウンタ回路の計数値が前記パス安定基準以上であると判定し、
前記一時受信カウンタ回路の計数値が加算された後、
前記一時受信判定回路が、前記一時受信カウンタ回路の加算後の計数値が前記一時受信基準より小さいと判定したときに、前記一時受信判定回路が、前記パスサーチ回路に、前記一時受信判定回路の判定結果を通知するものである。
【００１９】
第３の発明は、受信した高周波信号の有効パス遅延量を計算して出力するパスサーチ回路と、前記有効パス遅延量を用いて前記高周波信号の受信状態を示す希望電力対干渉電力比を計算する希望電力対干渉電力比計算回路と、を有するＣＤＭＡ受信回路の処理方法であって、
前記有効パス遅延量を入力し、該有効パス遅延量と、既に入力されている有効パス遅延量と比較するステップと、
前記希望電力対干渉電力比と、あらかじめ定められた高周波信号の受信状態の基準となる希望電力対干渉電力比基準とを比較するステップと、
前記希望電力対干渉電力比と、前記希望電力対干渉電力比基準との比較結果に基づいて計数するステップと、
前記パスカウンタ回路の計数値と、有効パス遅延量が安定していることを示すあらかじめ定められた基準であるパス安定基準とを比較するステップと、を具備し、
前記有効パス遅延量と、既に入力されている有効パス遅延量とが等しいと判定され、
前記希望電力対干渉電力比が前記希望電力対干渉電力比基準の範囲内であると判定され、
前記計数値が加算された後、
前記加算後の前記計数値が前記パス安定基準以上であると判定されたときに、その旨を前記パスサーチ回路に通知するＣＤＭＡ受信回路の処理方法である。
【００２０】
ＣＤＭＡ受信回路は、通常移動体通信で用いられることが多いため、送信側と受信側の距離が常に変化したり、送信側と受信側との間でフェージングが発生することなどによる受信状態の不安定な状態が発生する。
【００２１】
これらの悪い条件においても安定した受信を確保できるように、ＣＤＭＡ受信回路は、パス監視を常に行うパスサーチの機能を有している。
【００２２】
しかし、このパスサーチは必ずしも常に必要であるとは限らない。携帯電話などの移動機端末とこの移動機端末話の基地局とが見通しのよい電波伝播状態で、携帯電話の使用者が歩行しているか立ち止まっている状態では、この空間での有効パス遅延量にはほとんど変化が見られないことが多い。
【００２３】
本発明のＣＤＭＡ受信回路では、このような有効パス遅延量の変化の有無を検知する有効パス遅延量比較回路を設けている。さらには、有効パス遅延量の変化が前回の受信と等しい場合には、希望電力対干渉電力比をあらかじめ定められた希望電力対干渉電力比基準と比較して基準範囲内であると判定した回数をパスカウンタ回路で計数する。
【００２４】
この計数された回数が、あらかじめ定めた基準回数以上であると、このＣＤＭＡ受信回路での受信状態が安定しており、有効パス遅延量の変化がないことが分かり、パスサーチ回路で詳細なパスサーチを行う必要がないか、簡易的なパスサーチを行うことで安定した受信状態が得られることになる。
【００２５】
ＣＤＭＡ受信回路は、この簡易的なパスサーチを行うことをパスサーチ回路に通知する機能を有している。
【発明の効果】
【００２６】
本発明によれば、受信品質が良好かつ移動機端末側がほぼ静止状態にある場合を検知し、パスサーチ回路の動作を簡易化することにより消費電力を低減することの可能なＣＤＭＡ受信回路を得られる。
【発明を実施するための最良の形態】
【００２７】
本発明を実施するための形態について図面を参照して詳細に説明する。
【００２８】
図１は、本実施形態のＣＤＭＡ受信回路の構成例を示すブロック図である。
【００２９】
図１を参照すると、本実施形態のＣＤＭＡ受信回路は、移動機端末から送信された高周波信号を受信する空中線１０１と、受信した高周波信号をベースバンド処理が可能な周波数帯に周波数変換する準同期検波回路１０２と、周波数変換された信号をＡ／Ｄ変換するＡ／Ｄ変換器１０３と、Ａ／Ｄ変換された信号を指定ユーザごとに割り当てられた拡散信号を用いて各受信遅延時間に対して相互相関値を求め、有効パス遅延量を計算して出力するパスサーチ回路１０４と、有効パス遅延量を用いて受信データの逆拡散により相関値計算を行うフィンガー回路１０５１〜１０５ｎと、フィンガー回路１０５１〜１０５ｎで得られた相関値計算結果に基づいて同相加算して復調を行う復調回路１０６と、復調回路１０６から出力された復調信号から高周波信号の受信状態を示す希望電力対干渉電力比を算出する希望電力対干渉電力比計算回路１０７と、パスサーチ回路１０４のパスサーチ動作の制御を行うパスサーチ制御回路１０８とを備えて構成される。
【００３０】
パスサーチ制御回路１０８は、パスサーチ回路１０４から入力された有効パス遅延量を既に入力されている直前の受信で得られた有効パス遅延量と比較する有効パス遅延量比較回路３０２と、希望電力対干渉電力比をあらかじめ定められた高周波信号の受信状態の基準となる希望電力対干渉電力比基準と比較する電力比比較回路３０３と、電力比比較回路３０３の比較結果に基づいて計数するパスカウンタ回路３０４と、パスカウンタ回路３０４の計数値を有効パス遅延量が安定していることを示すあらかじめ定められた基準であるパス安定基準と比較する良好受信判定回路３０５とを備えて構成される。
【００３１】
アンテナ１０１は準同期検波回路１０２の入力端子に接続され、準同期検波回路１０２の出力端子はＡ／Ｄ変換器１０３の入力端子に接続され、Ａ／Ｄ変換器１０３の出力端子はパスサーチ回路の入力端子に接続され、Ａ／Ｄ変換器１０３の出力端子は各フィンガー回路１０５１〜１０５ｎの入力端子に接続されている。
【００３２】
パスサーチ回路１０４の出力端子は各フィンガ回路１０５１〜１０５ｎの入力端子に接続され、各フィンガ回路１０５１〜１０５ｎの出力端子は復調回路１０６の入力端子に接続され、復調回路の出力端子は希望電力対干渉電力比計算回路１０７の入力端子に接続され、希望電力対干渉電力比計算回路１０７の出力端子は図示しない送信側装置の電力制御手段に接続されている。
【００３３】
パスサーチ回路１０４の出力端子は有効パス遅延量比較回路３０２の入力端子に接続され、有効パス遅延量比較回路３０２の出力端子は電力比比較回路３０３の入力端子に接続され、電力比比較回路３０３の入力端子はパスカウンタ回路３０４の入力端子に接続され、パスカウンタ回路３０４の出力端子は良好受信判定回路３０５の入力端子に接続され、良好受信判定回路３０５の出力端子はパスサーチ回路１０４に接続されている。
【００３４】
有効パス遅延量比較回路３０２の出力端子はパスサーチ回路１０４に接続され、電力比比較回路３０３の出力端子はパスサーチ回路１０４に接続され、希望電力対干渉電力比計算回路１０７の出力端子は電力比比較回路３０３の入力端子に接続されている。
【００３５】
良好受信判定回路３０５には、あらかじめ有効パス遅延量が安定していることを示す基準であるパス安定基準が格納されている。
【００３６】
有効パス遅延量は、高周波信号の受信状態が良好で、送信側で静止もしくはごく低速で移動しつつ高周波信号を送信している場合には、変化しない。
【００３７】
そこで、この有効パス遅延量が変化しない安定度を有効パス遅延量が変化しないで受信された回数で示すことができる。
【００３８】
そこで、この有効パス遅延量が変化しないで受信した回数に対して、有効パス遅延量の安定度を示す基準値としてあらかじめパス安定基準を定めておき、このパス安定基準と有効パス遅延量が変化しないで受信した回数とを比較することで、ＣＤＭＡ受信回路での高周波信号のパスの安定度を判定することができる。
【００３９】
次に、本実施形態のＣＤＭＡ受信回路の動作について、図１〜３を参照して詳細に説明する。
【００４０】
ＣＤＭＡ受信回路は、図示しない移動機端末から送信された高周波信号をアンテナ１０１で受信する。アンテナ１０１から入力された受信信号は、準同期検波回路１０２に入力され、準同期検波回路１０２によって準同期検波され、ベースバンド処理が可能な周波数帯の信号に周波数変換されて、Ａ／Ｄ変換器１０３に出力される。
【００４１】
Ａ／Ｄ変換器１０３に入力されたこの周波数変換された信号は、Ａ/Ｄ変換された後、パスサーチ回路１０４によって指定ユーザごとに対応した拡散信号を用いて各受信遅延時間に対しての相互相関値を演算により求める。各受信遅延時間の相互相関値が得られた後、パスサーチ回路１０４は、各々の遅延プロファイルを作成する。
【００４２】
パスサーチ回路１０４によって求められた遅延プロファイルの一例を図３に示す。
【００４３】
図示したように、図中横軸はパス遅延時間を示し、縦軸は相互相関値を示す。図にはパス遅延時間に対応した相互相関値が示されており、これがパスサーチ回路１０４で得られた遅延のプロファイルとなっている。図には、有効パスしきい値ＴＨを示す破線が示されている。
【００４４】
パスサーチ回路１０４は、このようにして得られた遅延プロファイルから、パスサーチされた中で指定ユーザの拡散符号との相関性が高いパス遅延位置を有効パスに指定する。
【００４５】
この有効パスを指定するに当たり基準となるのが、有効パスしきい値ＴＨであり、この有効パスしきい値ＴＨを超えた相互相関値を示すパス遅延時間が、指定ユーザの拡散符号との相関性が高いパス遅延位置に当たる。
【００４６】
パスサーチ回路１０４は、この有効パスの遅延量情報を有効パス遅延量としてフィンガー回路１０５１〜１０５ｎへ出力する。
【００４７】
フィンガー回路１０５１〜１０５ｎでは、パスサーチ回路１０４から得た有効パス遅延量を用いて受信データの逆拡散により相関値計算を行い、相関値計算の結果を復調回路１０６に出力する。
【００４８】
この出力された相関値計算の結果には、移動機端末から送信されてアンテナ１０１で受信されるまでの電波伝搬の際に生じたフェージングの影響が含まれており、これは、位相のずれとして現れる。
【００４９】
復調回路１０６では、この入力された相関値計算結果にビット位相調整を行って互いに同相とした後、各フィンガー回路１０５１〜１０５ｎの出力信号の同相加算を行い、図示しないスロット単位およびフレーム単位の信号処理を行う信号処理回路へ出力する。
【００５０】
他方、復調回路１０６の出力は希望電力対干渉電力比計算回路１０７に入力され、ＳＩＲ値が計算されこの計算結果は、図示しない送信側装置の電力制御手段に用いられる。
【００５１】
この送信側装置の電力制御は、ＳＩＲ値が指定された基準ＳＩＲ値に対して大きければ送信電力を小さくするようにし、ＳＩＲ値が指定された基準ＳＩＲ値に対して小さければ送信電力を大きくするようにする。
【００５２】
また、パスサーチ回路１０４の出力信号である有効パス遅延量および希望電力対干渉電力比計算回路１０７の出力信号は、パスサーチ制御回路１０８へも入力される。
【００５３】
パスサーチ制御回路１０８では、パスサーチ回路１０４から入力された有効パス遅延量を常時監視しており、有効パス位置が固定でかつ希望電力対干渉電力比計算回路１０７から出力されるＳＩＲ値が長時間安定している場合は、以降のパスサーチ回路１０４のパスサーチ動作を簡易的に行い、それ以外の場合は通常のパスサーチ動作を行うような制御信号をパスサーチ回路１０４に通知する。パスサーチ回路１０４では、パスサーチ制御回路１０８からの制御信号にしたがって簡易的なパスサーチを行うかまたは通常のパスサーチ動作を行う。
【００５４】
このパスサーチ制御回路１０８の詳細な動作を、図２に示すフローチャートを参照して説明する。
【００５５】
図２は、本実施形態のＣＤＭＡ受信回路のパスサーチ制御回路の動作を示すフローチャートである。
【００５６】
パスサーチ回路１０４から出力された有効パス遅延量１は、パスサーチ制御回路１０８の有効パス遅延量比較回路３０２に入力される（ステップ２０１１）。同様に、パスサーチ回路１０４から出力された有効パス遅延量２は、有効パス遅延量比較回路３０２にに入力され（ステップ２０１２）、パスサーチ回路１０４から出力された有効パス遅延量ｎは、有効パス遅延量比較回路３０２に入力される（ステップ２０１ｎ）。
【００５７】
有効パス遅延量比較回路３０２では、入力された各有効パス遅延量１〜ｎと、前回比較時に有効パス遅延量比較回路３０２に入力され有効パス遅延量比較回路３０２に記憶されている有効パス遅延量との比較が行われる（ステップ２５０２）。
【００５８】
比較した結果、すべての有効パス遅延量１〜ｎが、前回の有効パス遅延量と変化がない場合は、この有効パス遅延量比較回路３０２の比較結果は、図中ステップ２５０２の下方のＹＥＳの流れを辿り、電力比比較回路３０３に通知される。
【００５９】
比較した結果、入力された有効パス遅延量が前回の有効パス遅延量に対して変化がある場合は、ステップ２５０２の左方のＮｏの流れを辿り、パスサーチ制御回路１０８は次回のパスサーチ動作は通常動作で行うようにパスサーチ回路１０４へ通知する（ステップ２５０９）。このパスサーチ制御回路１０８の通知によって、パスサーチ回路１０４は、次回にＡ／Ｄ変換器１０３から入力する信号に対して、通常のパスサーチ動作を行う。
【００６０】
なお、パスサーチ制御回路１０８に入力された前回受信分の有効パス遅延量は、パスサーチ制御回路１０８に備えられた図示しないメモリに保管されている。有効パス遅延量比較回路３０２の比較後にこのメモリの記憶内容は次回の比較のために今回入力された有効パス遅延量へと更新される。
【００６１】
なお、ここで前回の比較が行われていない場合、すなわち有効パス遅延量比較回路３０２に初めて有効パス遅延量が入力された場合には、前回の有効パス遅延量と変化がある場合と同様とし、ステップ２５０２の左方のＮｏの流れを辿り、パスサーチ制御回路１０８は次回のパスサーチ動作は通常動作で行うようにパスサーチ回路１０４へ通知する。
【００６２】
次に、電力比比較回路３０３においては、希望電力対干渉電力比計算回路１０７の計算結果であるＳＩＲ値があらかじめ定められた基準ＳＩＲ値に対して±αｄＢ以内にあるかどうかを判定する（ステップ２５０３）。
【００６３】
判定した結果、ＳＩＲ値が基準ＳＩＲ値に対して±αｄＢ以内であれば、ステップ２５０３の下方のＹＥＳの流れを辿り、判定結果は、パスカウンタ回路３０４に通知される。
【００６４】
電力比比較回路３０３が判定した結果、ＳＩＲ値が基準ＳＩＲ値に対して±αｄＢ以内でなければ、ステップ２５０３の左方のＮｏの流れを辿る。このＳＩＲ値が±αｄＢ以内でないことにより、通常動作のパスサーチを行うように電力比比較回路３０３からパスサーチ回路１０４に通知され（ステップ２５０９）、パスサーチ回路１０４はこの通知を受けたことにより、次回のパスサーチ動作を通常動作で行う。
【００６５】
この場合には、有効パス遅延量の変化はないが、何らかの原因で受信状態が安定しておらず受信電界が弱くなったりしていることを意味している。
【００６６】
次に、パスカウンタ回路３０４では、有効パス遅延量が前回と変化がなく、かつＳＩＲ値が基準ＳＩＲ値に対して±αｄＢ以内にあるときに、パスカウンタ回路３０４の計数値ｍに１だけ加算する（ステップ２５０４）。
【００６７】
このパスカウンタ回路３０４の示す計数値ｍは、有効パス遅延量が前回と変化がなく、かつＳＩＲ値が基準ＳＩＲ値に対して±αｄＢ以内である有効パス遅延量の入力信号がパスサーチ制御回路１０８に入力された回数が積算された結果であり、この受信の回数ｍが大きい程、ＣＤＭＡ受信回路の受信状態が良好かつ安定していることを示す。
【００６８】
次に、パスカウンタ回路３０４で示された計数値ｍは良好受信判定回路３０５に入力され、良好受信判定回路３０５に記憶された有効パス遅延量が安定していることを示すあらかじめ定められた基準であるパス安定基準Ｚと比較される（ステップ２５０５）。
【００６９】
良好受信判定回路３０５で比較された結果、計数値ｍがあらかじめ定めたしきい値であるパス安定基準Ｚと同じまたはパス安定基準Ｚよりも大きくなった場合には、ステップ２５０５の下方のＹＥＳの流れを辿り、パスサーチ制御回路１０８は次回のパスサーチ動作は簡易動作で行うようにパスサーチ回路１０４へ通知する（ステップ２５０８）。
【００７０】
このパスサーチ制御回路１０８の通知によって、パスサーチ回路１０４は、次にＡ／Ｄ変換器１０３から入力する信号に対して、簡易のパスサーチ動作を行う。
【００７１】
良好受信判定回路３０５で比較された結果、計数値ｍがパス安定基準Ｚよりも小さくなった場合には、ステップ２５０５の左方のＮｏの流れを辿り、パスサーチ制御回路１０８は次回のパスサーチ動作は通常動作で行うようにパスサーチ回路１０４へ通知する（ステップ２５０９）。このパスサーチ制御回路１０８の通知によって、パスサーチ回路１０４は、次にＡ／Ｄ変換器１０３から入力する信号に対して、通常のパスサーチ動作を行う。
【００７２】
なお、パスカウンタ回路３０４の回数ｍは連続回数をカウントするものであり、有効パス遅延量が前回と変化がなく、かつＳＩＲ値が基準ＳＩＲ値に対して±αｄＢ以内である条件を一度でも満足しない場合は、パスカウンタ回路３０４はリセットされる。
【００７３】
これは、なんらかの理由で基地局装置と移動機端末と見通しが悪くなったり、基地局装置と移動機端末との互いの受信品質が良好で無くなるか、移動機端末側が静止状態になく移動しているような場合に対応している。
【００７４】
このように、ＣＤＭＡ受信回路は、パスサーチ制御回路１０８で、パスサーチ回路１０４から入力された有効パス遅延量を常時監視している。有効パス位置が固定でかつ希望電力対干渉電力比計算回路１０７から出力されるＳＩＲ値が長時間安定している場合は、以降のパスサーチ回路１０４のパスサーチ動作を簡易的に行い、それ以外の場合は通常のパスサーチ動作を行うような制御信号をパスサーチ回路１０４に通知することが可能となる。
【００７５】
このため、パスサーチ回路１０４がパスサーチ制御回路１０８からの通知により簡易パスサーチを行うことでＣＤＭＡ受信回路の消費電力を低減することが可能である。
【００７６】
なお、パスサーチ回路１０４におけるパスサーチの簡易化動作の例としては、パスサーチ回路１０４において、パスサーチ範囲に対して遅延量を間引きして遅延プロファイル計算する方法または、パスサーチ範囲に対して時間間隔を開けて遅延プロファイルの計算を行う方法などがあり、適宜選択して用いるとよい。
【００７７】
また、本実施形態では、受信を行うアンテナ１０１を複数持ち、各アンテナ１０１に対して準同期検波回路およびＡ／Ｄコンバータを持ち、パスサーチ回路１０４に入力され、パスサーチ回路１０４でのサーチ対象が複数アンテナ分ある構成でも同様に実現が可能であり、同様の効果が得られる。
【００７８】
このようなＣＤＭＡ受信回路は、ＣＤＭＡ方式の基地局装置または移動機端末の受信回路などに対して適用が可能である。
【００７９】
以上説明したように、本発明によれば以下に示すような優れた効果を得られる。
（１）ＣＤＭＡ受信回路は、基地局装置と移動機端末との受信品質が良好かつ移動機端末側がほぼ静止状態にある場合を検知する検知手段を設け、この検知手段によってパスの良好かつ安定した状態を検知した場合は、以降のパスサーチ回路の動作を簡易化することができる。
（２）ＣＤＭＡ受信回路は、パスサーチ回路の動作を簡易化することにより、パスサーチ動作が必要とされない時間はパスサーチ動作分の消費電力を低減することができる。
（３）ＣＤＭＡ受信回路は、特に、セル半径が小さな基地局と見通しのよい通信環境下において移動機が静止または頻繁なパスサーチ動作を必要としない程度の非常に低速な移動状態で通信している場合において、パスサーチを簡易化することができ効果的である。
【００８０】
次に、本発明の実施例について図面を参照して詳細に説明する。
【実施例１】
【００８１】
図４は、本実施例のＣＤＭＡ受信回路のパスサーチ制御回路の構成例を示すブロック図である。
【００８２】
図を参照すると、本実施例のパスサーチ制御回路４０８は、図１で示したパスサーチ制御回路１０８の構成の他に、パスカウンタ回路３０４の計数値と、パス安定基準Ｚとを比較するパス安定判定回路５０６と、パス安定判定回路５０６の比較結果に基づいて計数する一時受信カウンタ回路５０７と、一時受信カウンタ回路５０７の計数値をあらかじめ定めた一時受信基準と比較する一時受信判定回路５０８とを備えて構成される。
【００８３】
本図において図３のパスサーチ動作制御回路１０８と異なる部分は、電力比比較回路３０３において、ＳＩＲ値があらかじめ定められた基準ＳＩＲ値に対して±αｄＢ以内にない場合における処理回路を追加したことである。
【００８４】
パスカウンタ回路３０４の出力端子はパス安定判定回路５０６の入力端子に接続され、パス安定判定回路５０６の出力端子は一時受信カウンタ回路５０７の入力端子に接続され、一時受信カウンタ回路５０７の出力端子は一時受信判定回路５０８の入力端子に接続され、一時受信判定回路５０８の出力端子はパスサーチ回路１０４に接続されている。
【００８５】
パス安定判定回路５０６の出力端子はパスサーチ回路１０４に接続され、一時受信判定回路５０８の出力端子はパスサーチ回路１０４に接続されている。
【００８６】
図５は、本実施例のＣＤＭＡ受信回路のパスサーチ制御回路の動作を示すフローチャートである。
【００８７】
図から分かるように、本フローチャートが図２に示したフローチャートと異なる部分は、ステップ２５０３の左方のＮｏの流れを辿るステップ２６０２〜ステップ２６０８の処理である。ここでは、図２のフローチャートと同じ部分の流れの説明は既に行っているので省略する。
【００８８】
ＳＩＲ値があらかじめ定められた基準ＳＩＲ値に対して±αｄＢ以内にあるかどうかがを判定され（ステップ２５０３）、ＳＩＲ値が±αｄＢ以内でなければ、ステップ２５０３の左方のＮｏの流れを辿り、ＳＩＲ値が±αｄＢ以内でなかったことがパス安定判定回路５０６に通知される。
【００８９】
この場合には、有効パス遅延量の変化はないが、何らかの原因で受信状態が安定しておらず受信電界が弱くなったりしていることを意味している。
【００９０】
パス安定判定回路５０６は、電力比比較回路３０３からこの通知を受け取ると、パスカウンタ回路３０４の示す計数値ｍをパス安定判定回路５０６に入力するかパス安定判定回路５０６で累積されている回数ｍを用いて、パス安定判定回路５０６に記憶されたあらかじめ定められパス安定基準Ｚと比較する（ステップ２６０６）。
【００９１】
パス安定判定回路５０６で比較された結果、計数値ｍがあらかじめ定めたパス安定基準Ｚと同じまたパス安定基準Ｚよりも大きくなった場合には、ステップ２６０６の下方のＹＥＳの流れを辿り、一時受信カウンタ回路５０７の計数値ｐに１だけ加算する（ステップ２６０７）。
【００９２】
パス安定判定回路５０６で比較された結果、計数値ｍがあらかじめ定めたパス安定基準Ｚよりも小さくなった場合には、ステップ２６０６の左方のＮｏの流れを辿り、パスサーチ制御回路１０８は次回のパスサーチ動作を通常動作で行うようにパスサーチ回路１０４へ通知する（ステップ２７０９）。このパスサーチ制御回路１０８の通知によって、パスサーチ回路１０４は、次にＡ／Ｄ変換器１０３から入力する信号に対して、通常のパスサーチ動作を行う。
【００９３】
次に、一時受信カウンタ回路５０７で示された計数値ｐは、一時受信判定回路５０８に入力され、一時受信判定回路５０８に記憶されたあらかじめ定められたしきい値である一時的な受信状態の不安定の基準を示す一時受信基準Ｗと比較される（ステップ２６０８）。
【００９４】
一時受信判定回路５０８で比較された結果、計数値ｐがあらかじめ定めた一時受信基準Ｗよりも小さくなった場合には、ステップ２６０８の下方のＹｅｓの流れを辿り、パスサーチ制御回路１０８は次回のパスサーチ動作は簡易動作で行うようにパスサーチ回路１０４へ通知する。このパスサーチ制御回路１０８の通知によって、パスサーチ回路１０４は、次にＡ／Ｄ変換器１０３から入力する信号に対して、簡易動作のパスサーチ動作を行う（ステップ２７０８）。
【００９５】
一時受信判定回路５０８で比較された結果、計数値ｐがあらかじめ定めたしきい値である一時受信基準Ｗと等しいか一時受信基準Ｗよりも大きくなった場合には、ステップ２６０８の左方のＮｏの流れを辿り、パスサーチ制御回路１０８は次回のパスサーチ動作を通常動作で行うようにパスサーチ回路１０４へ通知する（ステップ２７０９）。このパスサーチ制御回路１０８の通知によって、パスサーチ回路１０４は、次にＡ／Ｄ変換器１０３から入力する信号に対して、通常動作のパスサーチを行う。
【００９６】
なお、一時受信カウンタ回路５０７の回数ｐは連続回数をカウントするものであり、有効パス遅延量が前回と変化なしでかつＳＩＲ値が基準ＳＩＲ値の±αｄＢ以内を満たさないという条件を一度でも満足しない場合は、一時受信カウンタ回路５０７の計数値ｐはリセットされる。
【００９７】
これは、なんらかの理由で基地局装置と移動機端末と見通しが悪くなったり、基地局装置と移動機端末との互いの受信品質が良好でなくなるような場合に対応している。
【００９８】
また、一時受信カウンタ回路５０７がカウントアップを起動中の場合は、パスカウンタ回路３０４の計数した回数ｍはリセットされずにその状態を保持する。
【００９９】
このように、本実施例では、電力比比較回路３０３において、ＳＩＲ値があらかじめ定められた基準ＳＩＲ値に対して±αｄＢ以内にない場合でも、一定期間内であれば、パスサーチの簡易動作を許可する回路構成にしている。
【０１００】
このため、例えば、受信状態が良好で移動機端末が静止状態の時に、たまたま人間が通り過ぎたことによって起こるシャドウイングでの一時的な受信電界の減衰が発生しても、新規のパスサーチ動作は行わず、現在の有効パス遅延量での受信動作を継続する。この受信動作を継続していることにより、人間の通過後に受信状態が良好で移動機端末が静止状態という安定した受信状態が復活して、再びパスサーチが簡易動作で済む状態となる。ＣＤＭＡ受信回路は、このような状態の時に余分なパスサーチ動作を行わず消費電力の低減を実現できるという効果が得られる。
【図面の簡単な説明】
【０１０１】
【図１】本実施形態のＣＤＭＡ受信回路の構成例を示すブロック図である。
【図２】本実施形態のＣＤＭＡ受信回路のパスサーチ制御回路の動作を示すフローチャートである。
【図３】遅延プロファイルを示す図である。
【図４】実施例１のＣＤＭＡ受信回路の構成例を示すブロック図である。
【図５】実施例１のＣＤＭＡ受信回路のパスサーチ制御回路の動作を示すフローチャートである。
【図６】従来のＣＤＭＡ受信回路の構成例を示すブロック図である。
【符号の説明】
【０１０２】
１０１    アンテナ
１０２    準同期検波回路
１０３    Ａ／Ｄ変換器
１０４    パスサーチ回路
１０６    復調回路
１０７    希望電力対干渉電力比計算回路
１０８    パスサーチ制御回路
２０１    アンテナ
２０２    準同期検波回路
２０３    Ａ／Ｄ変換器
２０４    パスサーチ回路
２０６    復調回路
２０７    希望電力対干渉電力比計算回路
１０８    パスサーチ制御回路
３０２    有効パス遅延量比較回路
３０３    電力比比較回路
３０４    パスカウンタ回路
３０５    良好受信判定回路
５０６    パス安定判定回路
５０７    一時受信カウンタ回路
５０８    一時受信判定回路
１０５１〜１０５ｎ    フィンガー回路
２０５１〜２０５ｎ    フィンガー回路
Ｗ    一時受信基準
Ｚ    パス安定基準
【図１】
2007043370.tif 000003
【図２】
2007043370.tif 000004
【図３】
2007043370.tif 000005
【図４】
2007043370.tif 000006
【図５】
2007043370.tif 000007
【図６】
2007043370.tif 000008